(57)【特許請求の範囲】
【請求項１】
ワイパブレードを駆動するアーマチュアを備えているとともに、電源に接続された第１のブラシおよびワイパスイッチに電気的に接続された第２のブラシを該アーマチュアに通電可能に配置していて、該第１、第２のブラシを介した通電により該アーマチュアが回転して該ワイパブレードを払拭面上の第１の反転位置と第２の反転位置とのあいだで揺動可能なワイパモータと、
停止モード、間欠モード、低速モード、高速モードにそれぞれ切換えられるワイパスイッチと、
上記ワイパモータのアーマチュアに結合されていて該アーマチュアとともに回転する第１、第２、第３のコンタクトプレートを備えているとともに、該第１、第２、第３のコンタクトプレート上に配置された第１、第２、第３のコンタクタを備え、上記ワイパブレードが第１の反転位置の直前に到達すると第２のコンタクトプレートに第２、第３のコンタクタが導通され、該ワイパブレードが第２の反転位置の直前に到達すると第１のコンタクトプレートに第１、第２、第３のコンタクタが導通されるワイパ定位置検出スイッチと、
上記ワイパ定位置検出スイッチの第１、第２、第３のコンタクタおよび上記ワイパスイッチに電気的に接続され、上記ワイパスイッチが低速モードに切換えられている間、上記ワイパ定位置検出スイッチの第２のコンタクトプレートに第２、第３のコンタクタのみが導通された際および該ワイパ定位置検出スイッチの第１のコンタクトプレートに第１、第２、第３のコンタクタがいずれも導通された際、上記ワイパモータの第１、第２のブラシに対する電流の供給を予め定められた第１の時間だけ遮断可能であって、該ワイパスイッチが間欠モードに切換えられている間、該ワイパ定位置検出スイッチの第２のコンタクトプレートに第２、第３のコンタクタのみが導通された際、上記ワイパモータの第１、第２のブラシに対する電流の供給を第１の時間だけ遮断可能で、該ワイパ定位置検出スイッチの第１のコンタクトプレートに第１、第２、第３のコンタクタが導通された際、該ワイパモータの第１、第２のブラシに対する電流の供給を第１の時間よりも長く予め定められた第２の時間だけ遮断可能な制御回路を備えていることを特徴とするワイパ装置。
【請求項２】
制御回路には、
ワイパ位置停止スイッチの第１のコンタクタに電気的に接続され、該第１のコンタクタが第１のコンタクトプレート上で第２のコンタクタに導通された際に作動する格納位置検出回路と、
ワイパ定位置検出スイッチの第３のコンタクタに電気的に接続され、該第３のコンタクタが第２のコンタクトプレート上で第２のコンタクタに導通された際に作動する停止位置検出回路と、
ワイパスイッチが間欠モードに切換えられた際に作動する間欠モード検知回路と、
ワイパスイッチが低速モードに切換えられた際に作動する低速モード検知回路と、
作動によってワイパモータに通電経路を形成する駆動信号タイマ発生回路と、
上記低速モード検知回路が作動している間、上記停止位置検出回路が作動した際において予め定められた第１の休止時間で上記駆動信号タイマ発生回路を非作動状態とする一方、上記格納停止位置検出回路が作動した際において該第１の休止時間で該駆動信号タイマ発生回路を非作動状態とし、上記間欠モード検知回路が作動している間、上記停止位置検出回路が作動した際において上記第１の休止時間で上記駆動信号タイマ発生回路を非作動状態とする休止時間タイマ回路と、
上記間欠モード検知回路が作動している間、上記格納停止位置検出回路が作動した際において任意に選択された第２の休止時間で該駆動信号タイマ発生回路を非作動状態とする間欠休止時間タイマ回路を備えていることを特徴とする請求項１に記載のワイパ装置。
【発明の詳細な説明】
【０００１】
【発明の属する技術分野】
この発明は、ワイパブレードによって払拭面を拭うワイパ装置に関する。
【０００２】
【従来の技術】
ワイパブレードによって払拭面を拭うワイパ装置としては、ワイパモータのアーマチュアがリンクを介してワイパ軸に結合され、ワイパ軸にワイパブレードが結合されているものが知られている。電源電流がワイパモータのブラシに供給されてアーマチュアが回転すると、アーマチュアの回転がリンクによってワイパ軸の往復回動に変換されるため、ワイパ軸に結合されたワイパブレードが払拭面の第１、第２の反転位置で反転し、揺動運動をして払拭面を拭う。
【０００３】
【発明が解決しようとする課題】
上記したワイパ装置では、ワイパブレードが第１、第２の反転位置で反転作動する際、慣性力に対抗する反力を発生するため、衝撃力が生じ、その衝撃によって、ワイパの作動音が大きくなるという問題点があり、ワイパの作動音を小さくするようにするという課題があった。
【０００４】
【発明の目的】
この発明に係わるワイパ装置は、ワイパブレードが反転作動する際の慣性力に対抗して発生する衝撃力を減少することによってワイパブレードの作動音を小さくし、快適性を損なうことがないワイパ装置を提供することを目的としている。
【０００５】
【発明の構成】
【０００６】
【課題を解決するための手段】
【０００７】
この発明の請求項１に係わるワイパ装置では、ワイパブレードを駆動するアーマチュアを備えているとともに、電源に接続された第１のブラシおよびワイパスイッチに電気的に接続された第２のブラシをアーマチュアに通電可能に配置していて、第１、第２のブラシを介した通電によりアーマチュアが回転してワイパブレードを払拭面上の第１の反転位置と第２の反転位置とのあいだで揺動可能なワイパモータと、停止モード、間欠モード、低速モード、高速モードにそれぞれ切換えられるワイパスイッチと、ワイパモータのアーマチュアに結合されていてアーマチュアとともに回転する第１、第２、第３のコンタクトプレートを備えているとともに、第１、第２、第３のコンタクトプレート上に配置された第１、第２、第３のコンタクタを備え、上記ワイパブレードが第１の反転位置の直前に到達すると第２のコンタクトプレートに第２、第３のコンタクタが導通され、ワイパブレードが第２の反転位置の直前に到達すると第１のコンタクトプレートに第１、第２、第３のコンタクタが導通されるワイパ定位置検出スイッチと、ワイパ定位置検出スイッチの第１、第２、第３のコンタクタおよびワイパスイッチに電気的に接続され、ワイパスイッチが低速モードに切換えられている間、ワイパ定位置検出スイッチの第２のコンタクトプレートに第２、第３のコンタクタのみが導通された際およびワイパ定位置検出スイッチの第１のコンタクトプレートに第１、第２、第３のコンタクタがいずれも導通された際、ワイパモータの第１、第２のブラシに対する電流の供給を予め定められた第１の時間だけ遮断可能であって、ワイパスイッチが間欠モードに切換えられている間、ワイパ定位置検出スイッチの第２のコンタクトプレートに第２、第３のコンタクタのみが導通された際、ワイパモータの第１、第２のブラシに対する電流の供給を第１の時間だけ遮断可能で、ワイパ定位置検出スイッチの第１のコンタクトプレートに第１、第２、第３のコンタクタが導通された際、ワイパモータの第１、第２のブラシに対する電流の供給を第１の時間よりも長く予め定められた第２の時間だけ遮断可能な制御回路を備えている構成としたことを特徴としている。
【０００８】
この場合、ワイパスイッチが低速モードか間欠モードに切換えられ、第１、第２のブラシを介した通電によってワイパモータのアーマチュアが回転すると、ワイパブレードが第１の反転位置に向けて揺動し、ワイパブレードが第１の反転位置の直前に到達すると、ワイパ定位置検出スイッチの第２のコンタクトプレートに第２、第３のコンタクタのみが導通され、制御回路からワイパモータに対し第１の休止時間が与えられる。第１の休止時間が終了すると、ワイパモータのアーマチュアが回転を再開し、ワイパブレードが第２の反転位置に向けて揺動し、ワイパブレードが第２の反転位置の直前に到達すると、制御回路によってワイパモータのブラシに対する電流の供給が予め定められた時間だけ遮断される。それ故、ワイパモータは、ワイパスイッチが低速モードか間欠モードに切換えられている間に、ワイパブレードが両反転位置に到達する直前で電流の供給が遮断されることによって、ワイパブレードが一旦停止し、その後に、再起動するため、両反転位置において、慣性力に対抗する大きな反力を発生する必要がない。
【０００９】
この発明の請求項２に係わるワイパ装置では、制御回路には、ワイパ位置停止スイッチの第１のコンタクタに電気的に接続され、第１のコンタクタが第１のコンタクトプレート上で第２のコンタクタに導通された際に作動する格納位置検出回路と、ワイパ定位置検出スイッチの第３のコンタクタに電気的に接続され、第３のコンタクタが第２のコンタクトプレート上で第２のコンタクタに導通された際に作動する停止位置検出回路と、ワイパスイッチが間欠モードに切換えられた際に作動する間欠モード検知回路と、ワイパスイッチが低速モードに切換えられた際に作動する低速モード検知回路と、作動によってワイパモータに通電経路を形成する駆動信号タイマ発生回路と、低速モード検知回路が作動している間、停止位置検出回路が作動した際において予め定められた第１の休止時間で駆動信号タイマ発生回路を非作動状態とする一方、格納停止位置検出回路が作動した際において第１の休止時間で駆動信号タイマ発生回路を非作動状態とし、間欠モード検知回路が作動している間、停止位置検出回路が作動した際において第１の休止時間で駆動信号タイマ発生回路を非作動状態とする休止時間タイマ回路と、間欠モード検知回路が作動している間、格納停止位置検出回路が作動した際において任意に選択された第２の休止時間で駆動信号タイマ発生回路を非作動状態とする間欠休止時間タイマ回路を備えている構成としたことを特徴としている。
【００１０】
この場合、ワイパスイッチが低速モードに切換えられて低速モード検知回路が作動している間、第１、第２のブラシを介した通電によってワイパモータのアーマチュアが回転するため、ワイパブレードが第１の反転位置に向けて揺動し、ワイパブレードが第１の反転位置の直前に到達することによって、停止位置検出回路が作動すると、休止時間タイマ回路によって予め定められた第１の休止時間がワイパモータに与えられる。第１の休止時間が終了すると、ワイパモータのアーマチュアが回転を再開し、ワイパブレードが第２の反転位置の直前に到達することによって、格納停止位置検出回路が作動すると、休止時間タイマ回路によって予め定められた第１の休止時間がワイパモータに与えられる。そして、ワイパスイッチが間欠モードに切換えられて間欠モード検知回路が作動している間、第１、第２のブラシを介した通電によってワイパモータのアーマチュアが回転するため、ワイパブレードが第１の反転位置に向けて揺動し、ワイパブレードが第１の反転位置の直前に到達することによって、停止位置検出回路が作動すると、休止時間タイマ回路によって予め定められた第１の休止時間がワイパモータに与えられる。第１の休止時間が終了すると、ワイパモータのアーマチュアが回転を再開し、ワイパブレードが第２の反転位置の直前に到達することによって、格納停止位置検出回路が作動すると、間欠休止時間タイマ回路によって任意に選択的された第２の休止時間がワイパモータに与えられる。それ故、ワイパモータは、ワイパスイッチが低速モードか間欠モードに切換えられている間に、ワイパブレードが両反転位置に到達する直前で電流の供給が遮断されることによって、ワイパブレードが一旦停止し、その後に、再起動するため、両反転位置において、慣性力に対抗する大きな反力を発生する必要がない。
【００１１】
【発明の作用】
この発明の請求項１および２に係わるワイパ装置において、ワイパスイッチが低速モードか間欠モードに切換えられ、第１、第２のブラシを介した通電によってワイパモータのアーマチュアが回転すると、ワイパブレードが第１の反転位置に向けて揺動し、ワイパブレードが第１の反転位置の直前に到達すると、制御回路によってワイパモータのブラシに対する電流の供給が予め定められた時間だけ遮断される。そして、遮断時間が終了すると、ワイパモータのアーマチュアが回転を再開し、ワイパブレードが第２の反転位置に向けて揺動し、ワイパブレードが第２の反転位置の直前に到達すると、ワイパモータに対し制御回路から休止時間が与えられる。それ故、ワイパモータは、ワイパスイッチが低速モードか間欠モードに切換えられている間に、ワイパブレードが両反転位置に到達する直前で電流の供給が遮断されることによって、ワイパブレードが一旦停止し、予め定められた時間の経過後に、再起動するため、両反転位置において、慣性力に対抗する大きな反力を発生する必要はない。
【００１３】
【実施例】
図１および図２には、この発明に係わるワイパ装置の一実施例が示されている。
【００１４】
図１に示されるワイパ装置１は、ワイパモータ２、ワイパ定位置検出スイッチ３、制御回路（以下、ワイパアンプという。）４、ウオッシャポンプ５、ワイパスイッチ６、ワイパアーム１０、ワイパブレード９から構成されている。
【００１５】
ワイパモータ２には、アーマチュア２ａに通電可能な第１のブラシ２ｂ、第２のブラシ２ｃの２個のブラシが、アーマチュア２ａに設けられた図示しない整流子に対向し、該整流子に通電可能に配置されており、第１のブラシ２ｂは電源６０に接続され、第２のブラシ２ｃは後述するワイパスイッチ６に備えられた第６端子３６に接続されている。
【００１６】
ワイパモータ２のアーマチュア２ａに備えられたアーマチュア軸２ｄは、リンク７を介してワイパ軸８に結合されている。ワイパ軸８は払拭面７０の近傍に回動可能に配置されていて、ワイパブレード９が装着されたワイパアーム１０が結合されているため、ワイパモータ２の第１のブラシ２ｂから第２のブラシ２ｃに通電されることによってアーマチュア２ａが回転すると、アーマチュア軸２ｄの回転がリンク７を介してワイパ軸８の往復回動に変換され、ワイパブレード９が、ワイパアーム１０に内蔵された図示しないアームスプリングによって払拭面７０に圧接されながら下部反転位置（第２の反転位置）Ａと上部反転位置（第１の反転位置）Ｂとのあいだを往復で揺動する。ワイパモータ２のアーマチュア軸２ｄにはワイパ定位置検出スイッチ３に備えられた回転板３ｇが結合されている。
【００１７】
ワイパ定位置検出スイッチ３には、第１のコンタクトプレート３ａ、第２のコンタクトプレート３ｂ、第３のコンタクトプレート３ｃ、第１のコンタクタ３ｄ、第２のコンタクタ３ｅ、第３のコンタクタ３ｆが備えられている。
【００１８】
ワイパ定位置検出スイッチ３の第１、第２、第３のコンタクトプレート３ａ、３ｂ、３ｃは回転板３ｇ上にそれぞれ互いに絶縁されて配置されており、回転板３ｇは、中心がワイパモータ２のアーマチュア軸２ｄに結合されており、アーマチュア軸３ｄとともに回転する。
【００１９】
ワイパ定位置検出スイッチ３の第１のコンタクトプレート３ａは、略扇状に形成された導通領域をもち、糸巻形に形成された第３のコンタクトプレート３ｃにもつ一方の凹部領域に第３のコンタクトプレート３ｃから絶縁されて配置されている。この第１のコンタクトプレート３ａの導通領域は第３のコンタクトプレート３ｃの凹部領域から外側に延出されている。
【００２０】
ワイパ定位置検出スイッチ３の第２のコンタクトプレート３ｂは、第１のコンタクトプレート３ａと同様に略扇形状に形成された導通領域をもち、第３のコンタクトプレート３ｃにもつ他方の凹部領域において第３のコンタクトプレート３ｃから絶縁されて配置されている。この第２のコンタクトプレート３ｂの導通領域も第３のコンタクトプレート３ｃの凹部領域から外側に延出されているが、第１のコンタクトプレート３ａよりも突出量が小さい。
【００２１】
ワイパ定位置検出スイッチ３の第３のコンタクトプレート３ｃは、導電性のある円形板の２ヶ所が対向して矩形に切除されることにより、糸巻形に形成されており、電気的に接地されている。
【００２２】
ワイパ定位置検出スイッチ３の第１、第２、第３のコンタクトプレート３ａ、３ｂ、３ｃ上には、回転板３ｇとは独立して第１、第２、第３のコンタクタ３ｄ、３ｅ、３ｆが配置されている。
【００２３】
ワイパ定位置検出スイッチ３の第１のコンタクタ３ｄは、回転板３ｇの外周寄りに配置されているため、回転板３ｇが回転する際に、第１のコンタクトプレート３ａにのみ電気的に接続可能になっている。この第１のコンタクタ３ｄは後述するワイパアンプ４に備えた第２停止位置検出信号入力用端子Ｐ２に接続されている。
【００２４】
ワイパ定位置検出スイッチ３の第２のコンタクタ３ｅは、回転板３ｇ上において第１のコンタクタ３ｄの内側に配置されているため、回転板３ｇが回転する際に、第１のコンタクトプレート３ａまたは第２のコンタクトプレート３ｂに電気的に接続可能になっている。第２のコンタクタ３ｅは電源６０、後述するワイパアンプ４に備えた電源端子Ｂにそれぞれ接続されている。
【００２５】
ワイパ定位置検出スイッチ３の第３のコンタクタ３ｆは、回転板３ｇ上において第２のコンタクタ３ｅの内側に配置されているため、回転板３ｇが回転する際に、第１のコンタクトプレート３ａ、第２のコンタクトプレート３ｂまたは第３のコンタクトプレート３ｃのいずれか１つに電気的に接続可能になっている。第３のコンタクタ３ｆは、後述するワイパアンプ４に備えた第１停止位置検出信号入力用端子Ｐ１に接続されている。
【００２６】
そして、ワイパ定位置検出スイッチ３は、図１に示されるように、ワイパブレード９が下部反転位置Ａにある際の回転板３ｇの位置で、第１のコンタクトプレート３ａに第１、第２、第３のコンタクタ３ｄ、３ｅ、３ｆがいずれも電気的に接続されるため、第１のコンタクトプレート３ａによって第１、第２、第３のコンタクタ３ｄ、３ｅ、３ｆがいずれも導通される。また、ワイパブレード９が上部反転位置Ｂにある際の回転板３ｇの位置で、第２のコンタクトプレート３ｂに第２、第３のコンタクタ３ｅ、３ｆがいずれも電気的に接続されるため、第２のコンタクトプレート３ｂによって第２、第３のコンタクタ３ｅ、３ｆのみが導通され、ワイパブレード８が下部反転位置Ａにも、上部反転位置Ｂにもないときは、第３のコンタクタ３ｆが第３のコンタクトプレート３ｃに接続され、第３のコンタクタ３ｆは接地される。
【００２７】
このとき、ワイパ定位置検出スイッチ３の第１のコンタクトプレート３ａは、ワイパブレード９が下部反転位置Ａに到達する直前に第１、第２、第３のコンタクタ３ｄ、３ｅ、３ｆが電気的に接続可能な導通範囲をもち、第２のコンタクトプレート３ｂは、ワイパブレード９が上部反転位置Ｂに到達する直前に第２、第３のコンタクタ３ｅ、３ｆが電気的に接続可能な導通範囲をもつ。
【００２８】
ワイパスイッチ６には、第１端子３１、第２端子３２、第３端子３３、第４端子３４、第５の端子３５、第６端子３６が備えられているとともに、可変抵抗器ＶＲ１が設けられており、ワイパスイッチ６は、停止（OFF)モード、間欠（INT)モード、低速（LO）モード、高速（HI）モード、洗浄（WA）モードの各モードに切換えられる。可変抵抗器ＶＲ１はワイパスイッチ６が間欠（INT)モードに切換えられている際に、適当な抵抗値に選択される。
【００２９】
ワイパスイッチ６が、停止（OFF)モードに切換えられると、第５端子３５、第６端子３６が電気的に接続され、間欠（INT)モードに切換えられると、第１端子３１、第３端子３３が電気的に接続されるとともに、第５端子３５、第６端子３６が電気的に接続され、低速（LO) モードに切換えられると、第１端子３１、第４端子３４が電気的に接続されるとともに、第５端子３５、第６端子３６が電気的に接続され、高速（HI) モードに切換えられると、第１端子３１、第７端子３７が電気的に接続され、洗浄（WA) モードに切換えられると、第１端子３１、第２端子３２が電気的に接続される。
【００３０】
ワイパスイッチ６は、第１端子３１が接地され、第２端子３２が、ウオッシャポンプ５に備えられた第２のブラシ端子５ｂに接続され、第３端子３３が後述するワイパアンプ４に備えられた間欠モード検出用端子ＩＮＴに接続され、第４端子３４が後述するワイパアンプ４に備えられた低速モード検出用端子ＬＯに接続され、第５端子３５が後述するワイパアンプ４に備えられたリレー端子Ｍに接続され、第６端子３６が前述したようにワイパモータ２の第２のブラシ２ｃに接続され、可変抵抗器ＶＲ１が後述するワイパアンプ４に備えられた可変入力端子ＶＲに接続されている。ウオッシャポンプ５に備えられた第１のブラシ端子５ａは電源６０に接続されている。ウオッシャポンプ５は図示しないアーマチュアに備えられたアーマチュア軸５ｃがポンプに結合され、このポンプが洗浄液を貯蔵したウオッシャタンク内に連通接続されているため、第１のブラシ端子５ａから第２のブラシ端子５ｂに通電されることによって作動し、ウオッシャタンクに貯蔵してある洗浄液を図示しないノズルから払拭面７０に向けて噴射する。
【００３１】
一方、ワイパアンプ４は、スイッチングリレーＲＬ１、抵抗Ｒ１，Ｒ２，Ｒ３，Ｒ４，Ｒ５，Ｒ６，Ｒ７，Ｒ８、コンデンサＣ１、制御手段４１から構成されており、制御手段４１には、スイッチングトランジスタＴＲ１、電源回路４２、格納停止位置検出回路４３、停止位置検出回路４４、間欠モード検知回路（INT SW検知回路）４５、低速モード検知回路（LO SW 検知回路）４６、初回拭き信号発生回路４７、定電圧発生回路４８、ボリューム電流変換回路４９、間欠休止時間算出回路５０、間欠休止時間タイマ回路５１、休止時間タイマ回路５２、駆動信号タイマ発生回路５３、第１のアンド回路ＡＮＤ１、第２のアンド回路ＡＮＤ２、第３のアンド回路ＡＮＤ３、第４のアンド回路ＡＮＤ４、第１のノア回路ＮＯＲ１、第２のノア回路ＮＯＲ２、第３のノア回路ＮＯＲ３、第４のノア回路ＮＯＲ４、第１のインバータＩＮＶ１、第２のインバータＩＮＶ２、第３のインバータＩＮＶ３、第４のインバータＩＮＶ４、第５のインバータＩＮＶ５、第６のインバータＩＮＶ６、第７のインバータＩＮＶ７が備えられている。第１のノア回路ＮＯＲ１と第２のノア回路ＮＯＲ２はフリップフロップを構成する。
【００３２】
また、ワイパアンプ４には、電源端子Ｂ、第１停止位置検出用端子Ｐ１、第２停止位置検出用端子Ｐ２、リレー端子Ｍ、間欠モード検出用端子ＩＮＴ、低速モード検出用端子ＬＯ、可変入力端子ＶＲ、接地端子Ｅが備えられている。各端子は前述したように、電源端子Ｂが電源６０に接続され、第１停止位置検出用端子Ｐ１がワイパ定位置検出スイッチ３の第３のコンタクタ３ｆに接続され、第２停止位置検出信号入力用端子Ｐ２がワイパ定位置検出スイッチ３の第１のコンタクタ３ｄに接続され、リレー端子Ｍがワイパスイッチ６の第５端子３５に接続され、間欠モード検出用端子ＩＮＴがワイパスイッチ６の第３端子３３に接続され、低速モード検出用端子ＬＯがワイパスイッチ６の第４端子３４に接続され、可変入力端子ＶＲが可変抵抗器ＶＲ１を介して接地され、接地端子Ｅは接地されている。
【００３３】
ワイパアンプ４のスイッチングリレーＲＬ１は、そのリレーコイルＲＬ１−１の一端が電源端子Ｂに接続され、他端がスイッチングトランジスタＴＲ１のコレクタに接続され、常閉接点ＲＬ１−２が第１停止位置検出用端子Ｐ１に接続され、可動接点ＲＬ１−３がリレー端子Ｍに接続され、常開接点ＲＬ１−４が接地されている。
【００３４】
スイッチングリレーＲＬ１は、スイッチングトランジスタＴＲ１がオンすることによって、その可動接点ＲＬ１−３が常閉接点ＲＬ１−２から離れて常開接点ＲＬ１−４に接続されるため、リレー端子Ｍを接地させる機能をもつ。
【００３５】
ワイパアンプ４の電源回路４２は、他端が接地されたコンデンサＣ１の一端に接続され、抵抗Ｒ１を介して電源端子ＢおよびスイッチングリレーＲＬ１に備えたリレーコイルＲＬ１−１の一端に接続されており、図示しないイグニションスイッチがオン切換えされることによって、電源端子Ｂが電源６０に接続されると、オンして制御手段４１をオン状態とし、定電圧発生回路４８より予め定められた定電圧を発生する。
【００３６】
ワイパアンプ４の格納停止位置検出回路４３は、ワイパブレード９が下部反転位置Ａの直前に到達したことを検出する回路であり、抵抗Ｒ２を介した第２停止位置検出用端子Ｐ２の電圧レベルが一方の入力に、抵抗Ｒ３を介した第１停止位置検出用端子Ｐ１の電圧レベルが他方の入力に与えられた第４のアンド回路ＡＮＤ４の出力が入力されるため、ワイパブレード８が下部反転位置Ａの直前に到達することによって、ワイパ定位置検出スイッチ３の第１のコンタクタ３ｄ（第２停止位置検出用端子Ｐ２）が第１のコンタクトプレート３ａ上で第２のコンタクタ３ｅ（電源６０）と接続され、且つ、ワイパ定位置検出スイッチ３の第３のコンタクタ３ｆ（第１停止位置検出用端子Ｐ１）が第１のコンタクトプレート３ａ上で第２のコンタクタ３ｅ（電源６０）と接続された際に、第４のアンド回路ＡＮＤ４が出力信号（１）を発生することによって作動し、出力信号（１）が発生する。
【００３７】
格納停止位置検出回路４３が発生した出力信号（１）は第５のインバータＩＮＶ５を介して第１のアンド回路ＡＮＤ１に、第２のアンド回路ＡＮＤ２に、第３のアンド回路ＡＮＤ３にそれぞれ与えられる。
【００３８】
ワイパアンプ４の停止位置検出回路４４は、ワイパブレード９が上部反転位置Ｂの直前に到達したことを検出する回路であり、抵抗Ｒ３を介して第１停止位置検出用端子Ｐ１の電圧が入力されるため、ワイパブレード８が下部反転位置Ａの直前に到達することによってワイパ定位置検出スイッチ３の第３のコンタクタ３ｆが第１のコンタクトプレート３ａ上で第２のコンタクタ３ｅと接続されたときおよびワイパブレード８が上部反転位置Ｂの直前に到達することによってワイパ定位置検出スイッチ３の第３のコンタクタ３ｆが第２のコンタクトプレート３ｂ上で第２のコンタクタ３ｅと接続されたときのいずれかにより、第１停止位置検出用端子Ｐ１がハイレベルになることによって作動して出力信号（１）が発生し、第１のアンド回路ＡＮＤ１に出力信号（１）を与えるとともに、第６のインバータＩＮＶ６を介して第３のノア回路ＮＯＲ３に出力信号（１）を与える。ここで、ワイパブレード８が上部反転位置Ｂに到達した際、停止位置検出回路４４は出力信号（１）を発生するが、格納停止位置検出回路４３は出力信号（１）を発生しない。第１のノア回路ＮＯＲ１の出力信号は第２のノア回路ＮＯＲ２に与えられ、第２のノア回路ＮＯＲ２の出力信号は第１のノア回路ＮＯＲ１に与えられ、第２のノア回路ＮＯＲ２の出力信号が第７のインバータＩＮＶ７を介してスイッチングトランジスタＴＲ１に与えられる。
【００３９】
ワイパアンプ４の間欠モード検知回路（ＩＮＴ  ＳＷ検知回路）４５は、ワイパスイッチ６が間欠モードに切換えられていることを検出する回路であり、抵抗Ｒ４、抵抗Ｒ６を介した電源端子Ｂの電圧、抵抗Ｒ６を介した間欠モード検出用端子ＩＮＴの電圧が入力されるため、ワイパスイッチ６が間欠モード（INT ）に切換えられて、ワイパスイッチ６の第３端子３３が接地されることによって作動し、第１のインバータＩＮＶ１を介して第１のノア回路ＮＯＲ１に出力信号（１）を与えるとともに、第３のインバータＩＮＶ３を介して第３のアンド回路ＡＮＤ３に出力信号（１）を与える。
【００４０】
ワイパアンプ４の低速モード検知回路（ＬＯＷ  ＳＷ検知回路）４６は、ワイパスイッチ６が低速モードに切換えられていることを検出する回路であり、抵抗Ｒ７を介して低速モード検出用端子ＬＯの電圧、抵抗Ｒ５、抵抗Ｒ７を介した電源端子Ｂの電圧レベル、が入力されるため、ワイパスイッチ６が低速モード（ＬＯ）に切換えられて、ワイパスイッチ６の第４端子３４が接地されることによって作動し、第２のインバータＩＮＶ２を介して第１のノア回路ＮＯＲ１に出力信号（１）を与えるとともに、第４のインバータＩＮＶ４を介して第２のアンド回路ＡＮＤ２に出力信号（１）を与える。
【００４１】
間欠モード検知回路４５の出力信号（１）および低速モード検知回路４６の出力信号（１）が与えられた第１のノア回路ＮＯＲ１は、間欠モード検知回路４５の出力信号（１）および低速モード検知回路４６の出力信号（１）のいずれかがあれば、出力信号（１）が発生し、発生した出力信号（１）が第１のアンド回路ＡＮＤ１に与えられるとともに、初回拭き信号発生回路４７に与えられる。
【００４２】
ワイパアンプ４の初回拭き信号発生回路４７は、ワイパスイッチ６が間欠モード（INT ）に切換えられてワイパスイッチ６の第３端子３３が接地されたとき、あるいは、ワイパスイッチ６が低速モード（LO）に切換えられてワイパスイッチ６の第４端子３４が接地されたときのいずれかのスイッチ投入時にだけ出力信号（１）を発生し、後述する駆動信号タイマ発生回路５３に出力信号（１）を与える。初回拭き信号発生回路４７の出力信号（１）は、発生後に予め定められた時間（0.3 秒）で駆動信号タイマ発生回路５３においてタイムアップされる。
【００４３】
第２のアンド回路ＡＮＤ２は、格納停止位置検出回路４３および第４のインバータＩＮＶ４を介した低速モード検知回路４６のいずれもの出力信号（１）が与えられることによって出力信号（１）が発生し、発生した出力信号（１）が後述する第２のオア回路２に与えられる。
【００４４】
第２のオア回路ＯＲ２には、第２のアンド回路ＡＮＤ２の出力信号および第１のアンド回路ＡＮＤ１の出力信号が与えられるため、第２のアンド回路ＡＮＤ２の出力信号（２）および第１のアンド回路ＡＮＤ１の出力信号（１）のいずれかがあれば、出力信号（１）が発生する。第２のオア回路ＯＲ２の出力信号（１）は休止時間タイマ回路５２に与えられる。
【００４５】
第３のアンド回路ＡＮＤ３は、格納停止位置検出回路４３および間欠モード検知回路４５の両方からの出力信号（１）が与えられることによって出力信号（１）を発生し、発生した出力信号（１）は後述する間欠休止時間タイマ回路５１に与えられる。
【００４６】
ワイパアンプ４の定電圧発生回路４８は、電源回路４２より与えられた電圧レベルを可変抵抗器ＶＲ１に対する基準電流レベル発生用の定電圧に変換する。定電圧発生回路４８が発生した定電圧はボリューム電流変換回路４９に与えられる。
【００４７】
ワイパアンプ４のボリューム電流変換回路４９は、抵抗Ｒ８を介した可変入力端子ＶＲに印加されている電圧レベルを、可変抵抗器ＶＲ１により選択された値（電流レベル）に変換して発生する。ボリューム電流変換回路４９が発生した可変抵抗器ＶＲ１による電流レベルは間欠休止時間算出回路５０に与えられる。
【００４８】
ワイパアンプ４の間欠休止時間算出回路５０は、ボリューム電流変換回路４９が発生した定電圧に基づいて複数個の基準電流をもち、図示しない合致回路によって、この基準電流をボリューム電流変換回路４８が発生した出力信号（電流レベル）と比較し、可変抵抗器ＶＲ１により選択された出力信号（電流レベル）が基準電流のいずれかを越えたか否かを判別し、判別した結果の基準電流に対応した休止時間信号（第２の休止時間をもつ）を間欠休止時間タイマ回路５１に与える。
【００４９】
ワイパアンプ４の間欠休止時間タイマ回路５１は、クロックパルスをもつタイマであって、ワイパスイッチ６が間欠モード（INT ）に切換えられている際、第３のアンド回路ＡＮＤ３の出力信号（１）によって作動を開始し、間欠休止時間算出回路５０より与えられた信号に基づいて間欠休止出力信号（０）と駆動出力信号（１）をもつ間欠駆動出力信号を発生する。この間欠休止時間タイマ回路５１の間欠駆動出力信号は駆動信号タイマ発生回路５３に与えられる。
【００５０】
ワイパアンプ４の休止時間タイマ回路５２は、ワイパブレード９が上部反転位置Ｂの直前に到達した際に、ワイパブレード９を上部反転位置Ｂにおいて一旦停止させるための回路であり、クロックパルスをもつタイマである。ワイパスイッチ６が低速モード（LO）かあるいは間欠モード（ INT）に切換えられている際、ワイパブレード８が上部反転位置Ｂの直前に到達することにより、ワイパ定位置検出スイッチ３の第３のコンタクタ３ｆが第２のコンタクトプレート３ｂ上で第２のコンタクタ３ｅと接続されて、停止位置検出回路４４が出力信号（１）を発生し、ワイパ定位置検出スイッチ３の第１のコンタクタ３ｄがフローティングの状態となって、第１のアンド回路ＡＮＤ１が出力信号（１）を発生することによって休止時間タイマ回路５２は作動する。休止時間タイマ回路５２は、作動することによって、予め定められたタイマ時間（休止時間）（第１の休止時間）（0.2 秒）だけ駆動信号タイマ発生回路５３を不作動とする機能をもつ。そして、休止時間タイマ回路５２は予め定められた時間（0.2 秒）が過ぎると、タイムアップするため、駆動信号タイマ発生回路５３は作動可能となる。
【００５１】
ワイパアンプ４の駆動信号タイマ発生回路５３は、前述したように、初回拭き信号発生回路４７が発生した出力信号（１）があった際に予め定められた時間（0.3 秒）だけ出力信号（ハイレベル）を発生してから出力信号をカットオフするタイマ機能をもつ。また、駆動信号タイマ発生回路５３は、初回拭き信号発生回路４７よりの出力信号（１）がなく、休止時間タイマ回路５２のタイマ時間（0.2 秒）に対応して出力信号がカットオフされる機能をもち、間欠休止時間タイマ回路５１より与えられた間欠休止出力信号（０）と駆動出力信号（１）をもつ間欠駆動出力信号を発生する一方、休止時間タイマ回路５２の出力信号によって一時休止出力信号を発生する。駆動信号タイマ発生回路５３の出力信号は第２のノア回路ＮＯＲ２に与えられるため、第２のノア回路ＮＯＲ２の出力信号がローレベルである際に、第７のインバータＩＮＶ７の出力信号がハイレベルになり、スイッチングトランジスタＴＲ１がオンする。
【００５２】
ワイパアンプ４のスイッチングトランジスタＴＲ１は、エミッタ接地であって、コレクタがスイッチングリレーＲＬ１に備えたリレーコイルＲＬ１−１の他端に接続されているため、前述したように、オンすることによって、リレーコイルＲＬ１−１をオンし、スイッチングリレーＲＬ１の可動接点ＲＬ１−３を第１停止位置検出用端子Ｐ１から離してリレー端子Ｍを接地させる。
【００５３】
このような構造をなすワイパ装置１は、ワイパブレード９が下部反転位置Ａにおいて停止しているワイパの不使用状態においては、ワイパ定位置検出スイッチ３の回転板３ｇは図１中上側の位置にあって、第１のコンタクトプレート３ａに第１、第２、第３のコンタクタ３ｄ、３ｅ、３ｆが接続されている。
【００５４】
そこで、図示しないイグニションスイッチがオン切換えされることによって、電源端子Ｂが電源６０に接続されると、電源回路４２がオンし、制御手段４１がオン状態となり、定電圧発生回路４８より予め定められた定電圧が発生する。そして、ワイパスイッチ６が停止モードから間欠モードに切換えられると、ワイパスイッチ６の第１端子３１と第３端子３３が接続され、第５端子３５と第６端子３６が接続される。
【００５５】
ワイパスイッチ６の第１端子３１が第３端子３３に接続されることによって、ワイパアンプ４の間欠モード検出用端子ＩＮＴが接地され、ワイパスイッチ６の第５端子３５と第６端子３６とが接続されることによって、ワイパアンプ４のリレー端子Ｍがワイパモータ２の第２のブラシ２ｃに接続されるため、ワイパアンプ４の抵抗Ｒ６を介して間欠モード検知回路４５が作動して出力信号（１）が第１のオア回路ＯＲ１に与えられて初回拭き信号発生回路４７が作動し、駆動信号タイマ発生回路５３が予め定められた時間（例えば、0.3 秒）だけ出力信号（ハイレベル）を発生するため、スイッチングトランジスタＴＲ１がオンし、スイッチングリレーＲＬ１のリレーコイルＲＬ１−１がオンし、スイッチングリレーＲＬ１の可動接点ＲＬ１−３が常開接点ＲＬ１−４に接続されて接地され、ワイパアンプ４のリレー端子Ｍが接地されることにより、ワイパモータ２のアーマチュア２ａが回転を開始する。アーマチュア２ａが回転することによって、アーマチュア軸２ｄの回転がリンク７を介してワイパ軸８の往復回動に変換され、ワイパブレード９がワイパアーム１０に内蔵された図示しないアームスプリングによって払拭面７０に圧接されながら下部反転位置Ａから上部反転位置Ｂに向けて払拭を開始する。
【００５６】
駆動信号タイマ発生回路５３は、予め定められた時間（例えば、0.3 秒）が経過すると出力信号がローレベルになるが、アーマチュア２ａが回転を開始し、ワイパ定位置検出スイッチ３の回転板３ｇも図１中反時計方向に回転するため、第１、第２のコンタクタ３ｄ、３ｅが第１のコンタクトプレート３ａから離れて非導通となり、第３のコンタクタ３ｆが第３のコンタクトプレート３ｃに接続され、ワイパアンプ４の第１停止位置検出信号入力用端子Ｐ１が接地されることによって、ワイパモータ２の第２のブラシ２ｃ、ワイパスイッチ６の第６端子３６、スイッチングリレーＲＬ１、ワイパアンプ４の第１停止位置検出信号入力用端子Ｐ１の経路により、ワイパモータ２に電流が流れ、アーマチュア２ａが回転することによって、ワイパブレード９が上部反転位置Ｂに向けて払拭を続ける。
【００５７】
ワイパブレード９が上部反転位置Ｂの直前に到達すると、ワイパ定位置検出スイッチ３の回転板３ｇは第２のコンタクトプレート３ｂが図１中上側の位置にあり、第２、第３のコンタクタ３ｅ、３ｆが第２のコンタクトプレート３ｂ上で導通され、第３のコンタクタ３ｆが電源６０に接続されるため、ワイパアンプ４の第１停止位置検出信号入力用端子Ｐ１がハイレベルになって、ワイパモータ２の第２のブラシ２ｃ、ワイパスイッチ６の第６端子３６、ワイパスイッチ６の第５端子３５、スイッチングリレーＲＬ１、ワイパアンプ４の第１停止位置検出信号入力用端子Ｐ１の経路により、ワイパモータ２のアーマチュア２ａに対しアーマチュアショート回路が形成され、電磁制動によってアーマチュア２ａの回転が停止することによって、ワイパブレード９が上部反転位置Ｂで停止する。
【００５８】
このとき、ワイパアンプ４の第１停止位置検出信号入力用端子Ｐ１がワイパ定位置検出スイッチ３の第３のコンタクタ３ｆ、第２のコンタクトプレート３ｂ、第２のコンタクタ３ｅを介して電源６０に接続されるため、停止位置検出回路４４が作動し、ワイパアンプ４の第２停止位置検出信号入力用端子Ｐ２はフローティング状態にあるため、第１のアンド回路ＡＮＤ１のいずれの入力にも、第５のインバータＩＮＶ５、停止位置検出回路４４、第１のオア回路ＯＲ１の出力信号（１）が与えられて、第２のオア回路ＯＲ２が出力信号（１）を発生するため、休止時間タイマ回路５３が作動する。休止時間タイマ回路５３は、予め定められたタイマ時間（第１の休止時間）（0.2 秒）だけ駆動信号タイマ発生回路５３を不作動とする機能をもつものであるため、スイッチングトランジスタＴＲ１は、ワイパブレード９が上部反転位置Ｂにある際に、予め定められたタイマ時間オフし続け、その間は、アーマチュア９が回転することはない。
【００５９】
休止時間タイマ回路５３がタイムアップすると、駆動信号タイマ発生回路５３が作動するため、スイッチングトランジスタＴＲ１がオンし、スイッチングリレーＲＬ１のリレーコイルＲＬ１−１をオンし、可動接点ＲＬ１−３が常開接点ＲＬ１−４に接続され、ワイパアンプ４のリレー端子Ｍが接地されるため、ワイパモータ２のアーマチュア２ａが再び回転を開始し、アーマチュア２ａが回転することによって、ワイパブレード９が上部反転位置Ｂから下部反転位置Ａに向けて払拭を開始する。
【００６０】
アーマチュア２ａが回転することによって、ワイパ定位置検出スイッチ３の回転板３ｇも回転し、ワイパブレード９が下部反転位置Ａの直前に到達すると、第１のコンタクトプレート３ａが図１中上側の位置にあり、第１、第２、第３のコンタクタ３ｄ、３ｅ、３ｆが第１のコンタクトプレート３ａ上で互いに導通されるため、ワイパアンプ４は、第１停止位置検出信号入力用端子Ｐ１がハイレベルになって停止位置検出回路４４が作動するが、第２停止位置検出信号入力用端子Ｐ２もハイレベルになって格納停止位置検出回路４３が作動するため、第１のアンド回路ＡＮＤ１は出力信号（０）を発生し、第３のアンド回路ＡＮＤ３が出力信号（１）を発生する。その結果、間欠休止時間タイマ回路５１が作動し、可変抵抗器ＶＲ１により選択されて、間欠休止時間算出回路５０より発生した間欠休止時間信号に対応した間欠駆動出力信号が駆動信号タイマ発生回路５３に与えられるため、可変抵抗器ＶＲ１の抵抗値に対応した間欠休止時間（第２の休止時間）はスイッチングトランジスタＴＲ１がオフしてアーマチュア９が回転を停止してワイパブレード９が下部反転位置Ａで一旦停止する。間欠休止時間が終了するとスイッチングトランジスタＴＲ１がオンするため、スイッチングリレーＲＬ１のリレーコイルＲＬ１−１がオンすることによって、アーマチュア９が回転を開始してワイパブレード９が下部反転位置Ａから上部反転位置Ｂに向けて払拭を始める。ワイパスイッチ６が間欠モード（INT ）にある間は、この動作を繰り返す。
【００６１】
上述したように、ワイパスイッチ６が間欠モード（INT ）に切換えられると、ワイパブレード９が下部反転位置Ａから払拭動作を始めて、上部反転位置Ｂの直前に到達した際にワイパモータ２に対する電流の供給が遮断されることによって、上部反転位置Ｂにおいて間欠休止時間タイマ回路５１によって予め定められた時間（第１の休止時間）だけワイパブレード９が作動を停止し、その後に、ワイパブレード９が下部反転位置Ａに向けて払拭し、下部反転位置Ａの直前に到達したところで、可変抵抗器ＶＲ１により選択された間欠休止時間（第２の休止時間）はワイパモータ２に対する電流の供給が遮断されてワイパブレード９が下部反転位置Ａに停止し、間欠休止時間が終了してから、ワイパブレード９が上部反転位置Ｂに向けて払拭する動作を繰り返し行うものとなる。なお、第２の休止時間は第１の休止時間よりも長く選ばれる。
【００６２】
一方、ワイパスイッチ６が停止モードから間欠モードに切換えられると、ワイパスイッチ６の第１端子３１と第４端子３４が接続され、第５端子３５と第６端子３６が接続される。
【００６３】
ワイパスイッチ６の第１端子３１が第４端子３４に接続されることによって、ワイパアンプ４の低速モード検出用端子ＬＯが接地され、また、ワイパスイッチ６の第５端子３５と第６端子３６が接続されることによって、ワイパアンプ４のリレー端子Ｍがワイパモータ２の第２のブラシ２ｃに接続されるため、ワイパアンプ４の抵抗Ｒ７を介して低速モード検知回路４６が作動して出力信号（１）が第１のノア回路ＮＯＲ１に与えられて初回拭き信号発生回路４７が作動し、駆動信号タイマ発生回路５３が予め定められた時間（例えば、0.3 秒）だけ出力信号（ハイレベル）を発生する。その結果、スイッチングトランジスタＴＲ１がオンし、スイッチングリレーＲＬ１のリレーコイルＲＬ１−１がオンし、スイッチングリレーＲＬ１の可動接点ＲＬ１−３が常開接点ＲＬ１−４に接続されて接地され、ワイパアンプ４のリレー端子Ｍが接地されるため、ワイパモータ２のアーマチュア２ａが回転を開始する。アーマチュア２ａが回転することによって、アーマチュア軸２ｄの回転がリンク７を介してワイパ軸８の往復回動に変換され、ワイパブレード９がワイパアーム１０に内蔵された図示しないアームスプリングによって払拭面７０に圧接されながら下部反転位置Ａから上部反転位置Ｂに向けて払拭を開始する。
【００６４】
アーマチュア２ａが回転を開始し、予め定められた時間（例えば、0.3 秒）が経過すると駆動信号タイマ発生回路５３の出力信号がローレベルになるが、ワイパ定位置検出スイッチ３の回転板３ｇも図１中反時計方向に回転するため、第１、第２のコンタクタ３ｄ、３ｅが第１のコンタクトプレート３ａから離れて非導通となり、第３のコンタクタ３ｆが第３のコンタクトプレート３ｃに接続され、ワイパアンプ４の第１停止位置検出信号入力用端子Ｐ１が接地されることによって、ワイパモータ２の第２のブラシ２ｃ、ワイパスイッチ６の第６端子３６、スイッチングリレーＲＬ１、ワイパアンプ４の第１停止位置検出信号入力用端子Ｐ１の経路により、ワイパモータ２に電流が供給され、アーマチュア２ａが回転することによって、ワイパブレード９が上部反転位置Ｂに向けて払拭を続ける。
【００６５】
ワイパブレード９が上部反転位置Ｂの直前に到達すると、ワイパ定位置検出スイッチ３の回転板３ｇは第２のコンタクトプレート３ｂが図１中上側の位置にあり、第２、第３のコンタクタ３ｅ、３ｆが第２のコンタクトプレート３ｂ上で導通され、第３のコンタクタ３ｆが電源６０に接続されるため、ワイパアンプ４の第１停止位置検出信号入力用端子Ｐ１がハイレベルになって、ワイパモータ２の第２のブラシ２ｃ、ワイパスイッチ６の第６端子３６、ワイパスイッチ６の第５端子３５、スイッチングリレーＲＬ１、ワイパアンプ４の第１停止位置検出信号入力用端子Ｐ１の経路により、アーマチュア２ａに対するアーマチュアショート回路が形成されるため、電磁制動により、アーマチュア２ａの回転が停止し、ワイパブレード９が上部反転位置Ｂで停止する。
【００６６】
このとき、ワイパアンプ４の第１停止位置検出信号入力用端子Ｐ１がワイパ定位置検出スイッチ３の第３のコンタクタ３ｆ、第２のコンタクトプレート３ｂ、第２のコンタクタ３ｅを介して電源６０に接続されるため、停止位置検出回路４４が作動し、ワイパアンプ４の第２停止位置検出信号入力用端子Ｐ２はフローティング状態にあるため、第１のアンド回路ＡＮＤ１のいずれの入力にも、第５のインバータＩＮＶ５、停止位置検出回路４４、第１のオア回路ＯＲ１の出力信号（１）が与えられて、第２のオア回路ＯＲ２が出力信号（１）を発生するため、休止時間タイマ回路５２が作動する。休止時間タイマ回路５２は、予め定められたタイマ時間（第１の休止時間）（0.2 秒）だけ駆動信号タイマ発生回路５２を不作動とする機能をもつものであるため、スイッチングトランジスタＴＲ１は、ワイパブレード９が上部反転位置Ｂにある際に、予め定められたタイマ時間オフし続け、その間は、アーマチュア９が回転することはない。
【００６７】
休止時間タイマ回路５２がタイムアップすると、駆動信号タイマ発生回路５３が作動するため、スイッチングトランジスタＴＲ１がオンし、スイッチングリレーＲＬ１のリレーコイルＲＬ１−１をオンし、可動接点ＲＬ１−３が常開接点ＲＬ１−４に接続され、ワイパアンプ４のリレー端子Ｍが接地されるため、ワイパモータ２に電流が流れ、アーマチュア２ａが回転を開始し、アーマチュア２ａが回転することによって、ワイパブレード９が上部反転位置Ｂから下部反転位置Ａに向けて払拭を開始する。
【００６８】
アーマチュア２ａが回転することによって、ワイパ定位置検出スイッチ３の回転板３ｇも回転し、ワイパブレード９が下部反転位置Ａの直前に到達すると、第１のコンタクトプレート３ａが図１中上側の位置にあり、第１、第２、第３のコンタクタ３ｄ、３ｅ、３ｆが第１のコンタクトプレート３ａ上で導通されるため、ワイパアンプ４は、第１停止位置検出信号入力用端子Ｐ１がハイレベルになって停止位置検出回路４４が作動するが、第２停止位置検出信号入力用端子Ｐ２もハイレベルになって格納停止位置検出回路４３が作動するため、第１のアンド回路ＡＮＤ１は出力信号（０）を発生するが、第２のアンド回路ＡＮＤ２が出力信号（１）を発生し、第２のオア回路ＯＲ２が出力信号（１）を発生する。その結果、休止時間タイマ回路５２が作動し、予め定められたタイマ時間（第１の休止時間）（0.2 秒）だけ駆動信号タイマ発生回路５３を不作動とするため、スイッチングトランジスタＴＲ１は、ワイパブレード９が下部反転位置Ａの直前に到達したときから予め定められたタイマ時間オフし続け、その間は、アーマチュア２ａが回転することはないので、ワイパブレード９が下部反転位置Ａで停止する。
【００６９】
ワイパブレード９が下部反転位置Ａに到達している間に、休止時間タイマ回路５２がタイムアップすると、駆動信号タイマ発生回路５３が作動するため、スイッチングトランジスタＴＲ１がオンし、スイッチングリレーＲＬ１のリレーコイルＲＬ１−１をオンし、可動接点ＲＬ１−３が常開接点ＲＬ１−４に接続され、ワイパアンプ４のリレー端子Ｍが接地されるため、ワイパモータ２のアーマチュア２ａが回転を開始し、アーマチュア２ａが回転することによって、ワイパブレード９が下部反転位置Ａから上部反転位置Ｂに向けて払拭を開始し、ワイパスイッチ６が低速モード（LO）にある間は、この動作を繰り返す。
【００７０】
上述したように、ワイパスイッチ６が低速モード（LO）に切換えられると、ワイパブレード９が下部反転位置Ａから払拭動作を始めて、上部反転位置Ｂの直前に到達した際に、上部反転位置Ｂにおいて休止時間タイマ回路５２によって予め定められた時間（第１の休止時間）だけワイパブレード９が作動を停止し、その後に、ワイパブレード９が下部反転位置Ａに向けて払拭し、下部反転位置Ａの直前に到達したところで、間欠休止時間タイマ回路５１によって予め定められた時間（第２の休止時間）だけワイパブレード９が作動を停止し、上部反転位置Ｂに向けて払拭する動作を繰り返し行うものとなる。
【００７１】
ワイパスイッチ６が高速モード（HI）に切換えられると、ワイパスイッチ６の第６端子３６が第１端子３１を通じて接地される。
【００７２】
ワイパスイッチ６の第６端子３６が第１端子３１を通じて接地されることによって、ワイパモータ２の第２のブラシ２ｃが接地されるため、電源６０の電流がワイパアンプ４を通らずにワイパモータ２に供給され、ワイパモータ２のアーマチュア２ａが回転を開始し、アーマチュア２ａが回転することによって、ワイパブレード９が下部反転位置Ａから上部反転位置Ｂに向けて払拭を開始し、上部反転位置Ｂで反転して下部反転位置Ａに向け払拭し、下部反転位置Ａで反転して上部反転位置Ｂに向けて払拭する往復動作を行う。ワイパスイッチ６が高速モード（HI）にある間は、この動作を繰り返す。
【００７３】
ワイパスイッチ６が停止モード（OFF ）に切換えられると、ワイパスイッチ６の第６端子３６が第５端子３５に接続される。
【００７４】
ワイパスイッチ６の第６端子３６が第５端子３５に接続されるため、ワイパブレード９が下部反転反転位置Ａに到達するまでは、ワイパ定位置停止スイッチ３の第３のコンタクタ３ｆが第３のコンタクトプレート３ｃに接続されて、ワイパアンプ４の第１停止位置検出信号入力用端子Ｐ１が接地されることによって、ワイパモータ２に電流が供給され続けて、ワイパブレード９が払拭を続け、ワイパブレード９が下部反転位置Ａに到達すると、アーマチュア２ａに対しアーマチュアショート回路が形成され、アーマチュア２ａが急激に回転を停止することによって、ワイパブレード９が上部反転位置Ｂで停止するものとなる。
【００７５】
【発明の効果】
以上説明してきたように、この発明の請求項１および２に係わるワイパ装置によれば、ワイパスイッチが低速モードか間欠モードに切換えられ、第１、第２のブラシを介した通電によってワイパモータのアーマチュアが回転すると、ワイパブレードが第１の反転位置に向けて揺動し、ワイパブレードが第１の反転位置の直前に到達すると、制御回路によってワイパモータのブラシに対する電流の供給が予め定められた時間だけ遮断される。そして、遮断時間が終了すると、ワイパモータのアーマチュアが回転を再開し、ワイパブレードが第２の反転位置に向けて揺動し、ワイパブレードが第２の反転位置の直前に到達すると、ワイパモータに対し制御回路から休止時間が与えられるので、ワイパモータは、ワイパスイッチが低速モードか間欠モードに切換えられている間に、ワイパブレードが両反転位置に到達する直前で電流の供給が遮断されることによって、ワイパブレードが一旦停止し、予め定められた時間の経過後に、再起動するため、両反転位置において、慣性力に対抗する大きな反力を発生する必要はなく、それによって、ワイパブレードの作動音を小さくして快適性を損なうことがないという優れた効果を奏する。
【図面の簡単な説明】
【図１】図１はこの発明に係わるワイパ装置の一実施例のブロック構成図である。
【図２】図２は図１に示したワイパ装置に用いたワイパアンプの回路構成図である。
【符号の説明】
１  ワイパ装置
２  ワイパモータ
２ａ  アーマチュア
２ｂ  ブラシ
２ｃ  ブラシ
３  ワイパ定位置検出スイッチ
３ａ  第１のコンタクトプレート
３ｂ  第２のコンタクトプレート
３ｃ  第３のコンタクトプレート
３ｄ  第１のコンタクタ
３ｅ  第２のコンタクタ
３ｆ  第３のコンタクタ
４  ワイパアンプ（制御回路）
６  ワイパスイッチ
９  ワイパブレード
４３  格納位置検出回路
４４  停止位置検出回路
４５  間欠モード検知回路
４６  低速モード検知回路
５３  駆動信号タイマ発生回路
５１  間欠休止時間タイマ回路
５２  休止時間タイマ回路
６０  電源
【図１】
0003651858.tif 000002
【図２】
0003651858.tif 000003